(57)【要約】【課題】高温下の寿命が長く、かつ低温下の入力トルクが低い、偏心揺動式遊星歯車タイプの減速機用潤滑剤組成物を提供する。【解決手段】偏心揺動式遊星歯車タイプの減速機用潤滑剤組成物は、下記の成分（ａ）〜（ｃ）を含有する：（ａ）合成油を含む基油、（ｂ）炭化水素系ワックス、並びに（ｃ）石油スルホン酸のカルシウム塩、アルキル芳香族スルホン酸のカルシウム塩、酸化ワックスのカルシウム塩、石油スルホン酸の過塩基性カルシウム塩、アルキル芳香族スルホン酸の過塩基性カルシウム塩、及び酸化ワックスの過塩基性カルシウム塩からなる群から選択される少なくとも１種のカルシウム塩。【選択図】なし【特許請求の範囲】
【請求項１】
下記の成分（ａ）〜（ｃ）を含有することを特徴とする偏心揺動式遊星歯車タイプの減速機用潤滑剤組成物：
（ａ）合成油を含む基油、
（ｂ）炭化水素系ワックス、並びに
（ｃ）石油スルホン酸のカルシウム塩、アルキル芳香族スルホン酸のカルシウム塩、酸化ワックスのカルシウム塩、石油スルホン酸の過塩基性カルシウム塩、アルキル芳香族スルホン酸の過塩基性カルシウム塩、及び酸化ワックスの過塩基性カルシウム塩からなる群から選択される少なくとも１種のカルシウム塩。
【請求項２】
（ｂ）炭化水素系ワックスが、ポリエチレンワックス及びポリプロピレンワックスからなる群から選ばれる少なくとも一種である、請求項１記載の減速機用潤滑剤組成物。
【請求項３】
全組成物中、（ｂ）炭化水素系ワックスの含有量が０．１〜２０質量％である、請求項１又は２記載の減速機用潤滑剤組成物。
【請求項４】
（ａ）基油中の合成油が、合成炭化水素油である、請求項１〜３のいずれか１項に記載の減速機用潤滑剤組成物。
【請求項５】
（ａ）基油の４０℃における動粘度が、２０〜３００ｍｍ2／ｓである、請求項１〜４のいずれか１項に記載の減速機用潤滑剤組成物。
【請求項６】
（ｃ）カルシウム塩が、アルキル芳香族スルホン酸のカルシウム塩及びアルキル芳香族スルホン酸の過塩基性カルシウム塩である、請求項１〜５のいずれか１項に記載の減速機用潤滑剤組成物。
【請求項７】
請求項１〜６のいずれか１項に記載の減速機用潤滑剤組成物を封入した、偏心揺動式遊星歯車タイプの減速機。
【発明の詳細な説明】
【技術分野】
【０００１】
本発明は、偏心揺動式遊星歯車タイプの減速機に用いられる潤滑剤組成物、及びこれを用いた偏心揺動式遊星歯車タイプの減速機に関する。
【背景技術】
【０００２】
減速機は内部が複数の滑り部分と転がり部分で構成されており、入力側にトルクを加えると減速して出力側に高いトルクが伝達される。このような減速機は、鉄道、航空、船舶等の輸送分野の他、ロボット等の産業分野で幅広く利用されている。
減速機の性能の一つとして、出力側トルクは長期間一定で変動がないことが求められる。特に、ロボットの関節部に取り付けられる減速機（例えば、特許文献１に記載の偏心揺動式減速機）においては、精密な動作を可能とする点から、出力側トルクの変動をできる限り抑制することが求められる。しかし、減速機の作動後の内部部品の形状変化、例えば、鋼対鋼の摺動における金属接触部の損傷の発生等により、出力側トルクの変動が大きくなるという問題がある。この問題は、特に高温下で顕著になり、高温になると減速機の寿命が短くなる。
減速機用潤滑剤組成物として、内部摩擦低減効果が高く、減速機効率向上効果が高いモリブデンジチオカーバメートにカルシウム塩を配合した潤滑油、又はグリースが提案されている（例えば、特許文献２）。しかし、モリブデンジチオカーバメート及びカルシウム塩を含む潤滑剤組成物は、高温下の減速機の寿命を改善する点では十分ではない。
また、減速機の使用環境の拡大に伴い、減速機が、寒冷地等においても使用できることが求められる。寒冷地等では、冬場のような低温下において、入力側トルク（起動トルク）が増大し、減速機の起動効率が低くなる。従って、高温下の耐久性に加え、低温下の入力トルクが低減された、減速機用潤滑剤組成物の開発が望まれる。
【先行技術文献】
【特許文献】
【０００３】
【特許文献１】特開２００６−０７７９８０
【特許文献２】特開２００４−３３９４１１
【発明の概要】
【発明が解決しようとする課題】
【０００４】
従って、本発明の目的は、高温下の寿命が長く、かつ低温下の入力トルクが低い、偏心揺動式遊星歯車タイプの減速機用潤滑剤組成物を提供することである。
本発明の他の目的は、高温下の寿命が長く、かつ低温下の入力トルクが低い、偏心揺動式遊星歯車タイプの減速機を提供することである。
【課題を解決するための手段】
【０００５】
上記目的を達成するため、本発明は、以下を提供する。
１．下記の成分（ａ）〜（ｃ）を含有することを特徴とする偏心揺動式遊星歯車タイプの減速機用潤滑剤組成物：
（ａ）合成油を含む基油、
（ｂ）炭化水素系ワックス、並びに
（ｃ）石油スルホン酸のカルシウム塩、アルキル芳香族スルホン酸のカルシウム塩、酸化ワックスのカルシウム塩、石油スルホン酸の過塩基性カルシウム塩、アルキル芳香族スルホン酸の過塩基性カルシウム塩、及び酸化ワックスの過塩基性カルシウム塩からなる群から選択される少なくとも１種のカルシウム塩。
２．（ｂ）炭化水素系ワックスが、ポリエチレンワックス及びポリプロピレンワックスからなる群から選ばれる少なくとも一種である、１．記載の減速機用潤滑剤組成物。
３．全組成物中、（ｂ）炭化水素系ワックスの含有量が０．１〜２０質量％である、１．又は２．記載の減速機用潤滑剤組成物。
４．（ａ）基油中の合成油が、合成炭化水素油である、１．〜３．のいずれか１項に記載の減速機用潤滑剤組成物。
５．（ａ）基油の４０℃における動粘度が、２０〜３００ｍｍ2／ｓである、１．〜４．のいずれか１項に記載の減速機用潤滑剤組成物。
６．（ｃ）カルシウム塩が、アルキル芳香族スルホン酸のカルシウム塩及びアルキル芳香族スルホン酸の過塩基性カルシウム塩である、１．〜５．のいずれか１項に記載の減速機用潤滑剤組成物。
７．１．〜６．のいずれか１項に記載の減速機用潤滑剤組成物を封入した、偏心揺動式遊星歯車タイプの減速機。
【発明の効果】
【０００６】
本発明の減速機用潤滑剤組成物は、従来の減速機用潤滑剤組成物と比較して、高温下の減速機の寿命を改善することができる。従って、これを封入した本発明の減速機は高温下でも寿命が長い。また、本発明の減速機用潤滑剤組成物は、低温下の入力トルク増大を抑制することができる。従って、これを封入した本発明の減速機は寒冷地等においても好適に使用することができる。さらに、本発明の減速機用潤滑剤組成物は、減速機の起動効率を増大することができる。
【発明を実施するための形態】
【０００７】
＜基油＞
本発明に使用する（ａ）基油は、合成油を必須成分とするが、鉱油等の他の基油を更に含んでもよい。合成油としては、合成炭化水素油、エステル油、フェニルエーテル、ポリグリコールなど、通常潤滑剤組成物で使用されている合成油がいずれも使用できる。合成油は、一種類を単独で用いてよく、二種類以上を併用してもよい。好ましい合成油は、合成炭化水素油である。合成炭化水素油としては、具体的には、α−オレフィンを１種または２種以上混合して重合したものが挙げられる。α−オレフィンとしては、エチレン、プロピレン、ブテン、これらの誘導体などを原料として製造されたα−オレフィンが挙げられ、好ましくは、炭素数６〜１８のα−オレフィン（例えば、１−デセン、１−ドデセンなど）が挙げられる。最も好ましい合成炭化水素油は、１−デセンや１−ドデセンのオリゴマーである、ポリ−α−オレフィン（ＰＡＯ）である。
基油としては、合成炭化水素油（例えば、ＰＡＯ）を含む基油であるのが好ましく、合成炭化水素油（例えば、ＰＡＯ）と鉱油の組み合わせがより好ましい。
基油中の合成油（例えば、ＰＡＯなどの合成炭化水素油）の割合は、１０〜１００質量％であることが好ましく、１０〜５０質量％（例えば、１０〜２０質量％）であることがより好ましい。１０質量％を下回ると、低温下の入力トルク上昇が懸念される。
潤滑剤組成物中の基油の割合は、５０〜９９質量％であることが好ましく、７０〜９５質量％であることがより好ましい。
本発明に使用する基油の４０℃における動粘度は、例えば、２０〜３００ｍｍ2／ｓ、好ましくは３０〜２２０ｍｍ2／ｓ（例えば、４０〜２００ｍｍ2／ｓ）、より好ましくは５０〜１５０ｍｍ2／ｓ（特に、６０〜１００ｍｍ2／ｓ）である。２０ｍｍ2／ｓを下回ると、高温下の寿命が不十分となる傾向があり、また３００ｍｍ2／ｓを超えると低温時の起動に不具合が生じる傾向がある。なお、４０℃の動粘度は、ＪＩＳ Ｋ ２２８３に準拠した方法により測定される。
【０００８】
＜炭化水素系ワックス＞
本発明に使用する（ｂ）炭化水素系ワックスとしては、特に限定はされないが、例えば、ポリオレフィンワックス（ポリエチレンワックス、酸化ポリエチレンワックス、ポリプロピレンワックス、エチレン−プロピレン共重合ワックスなど）、モンタンワックス、及びアマイドワックスからなる群から選ばれる少なくとも１種の化合物を含む。
炭化水素系ワックスの中でも、ポリオレフィンワックスが好ましい。ポリオレフィンワックスの重量平均分子量は、特に限定はなく、例えば、１，０００〜２０，０００程度である。また、ポリオレフィンワックスの溶融粘度は、特に限定はなく、例えば、１４０℃において、２５０００〜３００００ｍＰａ・ｓであってもよく、１７０℃において、９０００〜１００００ｍＰａ・ｓであってもよい。さらに、ポリオレフィンワックスの密度についても、特に限定はなく、高密度（例えば、０．９６ｇ／ｃｍ3以上）、中密度（例えば、０．９４〜０．９５ｇ／ｃｍ3）、及び低密度（例えば、０．９３ｇ／ｃｍ3以下）のいずれであってもよい。高密度であれば、融点や軟化点、結晶化度が高く、硬度が大きいという特徴があり、低密度であれば、融点や軟化点が低く、軟質であるという特徴がある。ポリオレフィンワックスは、耐熱性の観点から、滴点は１００℃以上であるのが好ましく、１１０℃以上であるのがより好ましく、基油への溶解性の観点からは、滴点は１５０℃以下であるのが好ましく、１３５℃以下であるのがより好ましい。また、ポリオレフィンワックスの酸価は、０〜１０ｍｇＫＯＨ／ｇであるのが好ましく、０〜５ｍｇＫＯＨ／ｇであるのがより好ましい。酸価がこのような範囲にあると、酸成分による潤滑剤組成物への酸化劣化の影響が少ないので好ましい。
ポリオレフィンワックスの中でも、ポリエチレンワックス、ポリプロピレンワックス、及びエチレン−プロピレン共重合ワックスからなる群から選ばれる少なくとも一種が好ましく、ポリエチレンワックス及びポリプロピレンワックスからなる群から選ばれる少なくとも一種がより好ましい。
ポリエチレンワックスの市販品としては、クラリアントジャパン株式会社製のＬｉｃｏｗａｘ ＰＥ５２０、ＰＥ１９０、ＰＥ１３０等が挙げられ、ポリプロピレンワックスの市販品としては、クラリアントジャパン株式会社製のＬｉｃｏｓｅｎ ＰＰ ７５０２、ＰＰ ３６０２、Ｃｅｒｉｄｕｓｔ ６０５０ Ｍ、三井化学株式会社製のハイワックスＮＰ１０５、ＮＰ５００等が挙げられる。
最も好ましい炭化水素系ワックスは、ポリプロピレンワックスである。
潤滑剤組成物中の炭化水素系ワックスの割合は、例えば、０．１〜２０質量％、好ましくは０．１〜１０質量％、より好ましくは０．５〜７質量％、さらに好ましくは１〜５質量％である。
【０００９】
＜カルシウム塩＞
本発明に使用する（ｃ）カルシウム塩は、石油スルホン酸のカルシウム塩、アルキル芳香族スルホン酸のカルシウム塩、酸化ワックスのカルシウム塩、石油スルホン酸の過塩基性カルシウム塩、アルキル芳香族スルホン酸の過塩基性カルシウム塩、及び酸化ワックスの過塩基性カルシウム塩からなる群から選択される少なくとも１種である。
なお、本明細書において、「Ｘの過塩基性カルシウム塩」とは、ＪＩＳ Ｋ ２５０１に準拠して測定される塩基価が２００ｍｇＫＯＨ／ｇ以上である、Ｘのカルシウム塩を意味する。また、単に「Ｘのカルシウム塩」と記載した場合、該「Ｘのカルシウム塩」は、過塩基性カルシウム塩以外のカルシウム塩（中性又は塩基性カルシウム塩）、即ち、ＪＩＳ Ｋ ２５０１に準拠して測定される塩基価が２００ｍｇＫＯＨ／ｇ未満である、Ｘのカルシウム塩を意味する。
カルシウム塩としては、アルキル芳香族スルホン酸のカルシウム塩及びアルキル芳香族スルホン酸の過塩基性カルシウム塩からなる群から選ばれる少なくとも一種が好ましく、アルキル芳香族スルホン酸のカルシウム塩及びアルキル芳香族スルホン酸の過塩基性カルシウム塩の組み合わせがより好ましい。前記組み合わせ中、アルキル芳香族スルホン酸の過塩基性カルシウム塩の割合は、例えば、５０〜９９質量％、好ましくは６０〜９０質量％、より好ましくは６５〜８０質量％である。前記組み合わせにより、高温下の耐久性は更に向上する。
潤滑剤組成物中のカルシウム塩の割合は、好ましくは０．１〜２０質量％、より好ましくは０．５〜１０質量％（例えば、１〜５質量％）である。０．１質量％未満では高温下の寿命が不十分となる傾向にあり、また２０質量％を超えると添加量に見合う効果が不十分となる傾向にある。
【００１０】
＜増ちょう剤＞
本発明の潤滑剤組成物は、（ｄ）増ちょう剤を含んでいてもよい。増ちょう剤としては、全ての増ちょう剤が挙げられる。例えば、リチウム石けんや複合リチウム石けんに代表される石けん系増ちょう剤、ジウレアに代表されるウレア系増ちょう剤、有機化クレイやシリカに代表される無機系増ちょう剤、ＰＴＦＥに代表される有機系増ちょう剤などが挙げられるが、好ましいものはリチウム石けん系増ちょう剤やウレア系増ちょう剤であり、より好ましいものはリチウム石けん系増ちょう剤である。
潤滑剤組成物中の増ちょう剤の割合は、好ましくは０〜２０質量％（例えば、１〜１５質量％）、さらに好ましくは０．５〜１０質量％（例えば、０．５〜３質量％）である。０．５質量％未満では増ちょう効果がなくなり、２０質量％を超えると潤滑剤組成物が硬くなりすぎ、潤滑部への流入が無くなり充分な効果を得るのが困難になる傾向がある。
潤滑剤組成物が増ちょう剤を含む場合、潤滑剤組成物のちょう度は、３００〜４５０（例えば、３５０〜４１０）が好ましく、３９５〜４２５がより好ましい。なお、ちょう度は、ＪＩＳ Ｋ ２２２０に定義されるとおり、試料を規定の混和器で６０往復混和した直後に測定される値である。
【００１１】
本発明の潤滑剤組成物には、必要に応じて、他の任意の添加剤を配合することができる。任意の添加剤としては、例えば、（ｃ）カルシウム塩以外の防錆剤又は清浄分散剤、極圧剤、酸化防止剤、金属腐食防止剤、油性剤、耐摩耗剤、固体潤滑剤などが挙げられる。これらの中でも、（ｅ）極圧剤が好ましい。
【００１２】
＜極圧剤＞
本発明に任意に使用される（ｅ）極圧剤としては、特に制限はなく、例えば、チオリン酸塩及びチオカルバミン酸から選ばれる少なくとも一種が使用できる。チオリン酸塩としては、ジチオリン酸塩が挙げられ、好ましくは、ジチオリン酸（例えば、ジアルキルジチオリン酸）の亜鉛塩又はモリブデン塩である。また、チオカルバミン酸としては、ジチオカルバミン酸塩が挙げられ、好ましくは、ジチオカルバミン酸（例えば、ジアルキルジチオカルバミン酸）の亜鉛塩又はモリブデン塩である。
好ましい極圧剤は、ジチオカルバミン酸モリブデン及びジチオリン酸亜鉛からなる群から選ばれる少なくとも一種であり、より好ましい極圧剤は、ジチオカルバミン酸モリブデン（特に、ジアルキルジチオカルバミン酸モリブデン）とジチオリン酸亜鉛（特に、ジアルキルジチオリン酸亜鉛）の組み合わせである。前記組み合わせにおけるジチオカルバミン酸モリブデンの割合は、５０〜９９質量％であるのが好ましく、５５〜９０質量％であるのがより好ましい。
潤滑剤組成物中の極圧剤の割合は、０〜１．５質量％であることが好ましく、０．５〜１質量％であることがより好ましい。１．５質量％を超えると、添加剤の析出による減速機の振動等の発生確率が上昇する。
【００１３】
本発明の潤滑剤組成物の好ましい態様の一つとして、以下の態様が挙げられる。
下記の成分（ａ）〜（ｅ）を含む、偏心揺動式遊星歯車タイプの減速機用潤滑剤組成物：
（ａ）合成炭化水素油を含む基油、
（ｂ）ポリエチレンワックス及びポリプロピレンワックスからなる群から選ばれる少なくとも一種、
（ｃ）アルキル芳香族スルホン酸のカルシウム塩及びアルキル芳香族スルホン酸の過塩基性カルシウム塩からなる群から選ばれる少なくとも一種、
（ｄ）リチウム石けん系増ちょう剤、並びに
（ｅ）ジチオカルバミン酸モリブデン及びジチオリン酸亜鉛からなる群から選ばれる少なくとも一種。
【００１４】
本発明の潤滑剤組成物は、偏心揺動式遊星歯車タイプの減速機に利用できる。特に、高温下の耐久性を有し、出力側トルクの変動を防止できる点から、ロボットの関節部に取り付けられる偏心揺動式遊星歯車タイプの減速機に利用するのが好ましい。前記減速機の代表例としては、第１段減速機構および第２段減速機構を含む減速機であって、該第１段減速機構がモータからの回転を減速して前記第２段減速機構へ伝達する減速機であり、該第２段減速機構が内歯歯車体、該内歯歯車体に噛み合う外歯歯車体、該外歯歯車体に係合し該外歯歯車体を前記内歯歯車体に対して偏心揺動運動させるクランク軸、及び該クランク軸を回転自在に支持する支持体を有し前記内歯歯車体または前記支持体から出力が取り出される偏心揺動式減速機が挙げられる。
【実施例】
【００１５】
以下に、実施例に基づいて本発明をより詳細に説明するが、本発明はこれらの実施例によって限定されるものではない。
【００１６】
実施例１〜４及び比較例５〜７
表１に示す成分を表１に示す割合で混合し、実施例１〜４及び比較例５〜７の潤滑剤組成物を調製した。これらの潤滑剤組成物について、基油の動粘度及び混和ちょう度は、以下の方法により測定した。
【００１７】
［基油の動粘度］
基油の動粘度は、ＪＩＳ Ｋ ２２２０ ２３に準拠して、温度４０℃で測定した。
【００１８】
［混和ちょう度］
混和ちょう度は、ＪＩＳ Ｋ ２２２０ ７に定義されるとおり、試料を規定の混和器で６０往復混和した直後に測定した。
【００１９】
また、潤滑剤組成物を、偏心揺動式遊星歯車タイプの減速機（ナブテスコ株式会社製、ＲＶ-４２Ｎ３-１２７．１５）に潤滑剤組成物を封入し、寿命試験、低温下のトルク測定試験、起動効率試験を行った。
【００２０】
［寿命試験］
作製した潤滑剤組成物について、下記の試験条件で試験を行い、内部部品が破損するまでの時間を測定した。
＜試験条件＞
試験温度：６０℃
負荷トルク及び出力回転数は任意に設定し、ベアリングの寿命換算式に従って寿命計算を行った。
高温耐久性は、相対寿命比（比較例６の寿命時間を１としたときの相対寿命時間比）を算出し、下記の合否判定に基づいて評価した。
＜合否判定＞
相対寿命比が３．０以上              ◎（合格）
相対寿命比が２．５以上３．０未満    ○（合格）
相対寿命比が２．５未満              ×（不合格）
【００２１】
［低温下のトルク測定試験］
作製した潤滑剤組成物について、下記の試験条件で試験を行い、減速機を無負荷で回すために必要な入力軸のトルクを読み取ることにより、低温下の入力トルクを測定した。
＜試験条件＞
試験温度：−１０℃
負荷トルク［ラジアル方向（軸方向に垂直な方向）の荷重］：無負荷
出力回転数：１５．７ｒｐｍ
低温性は、相対トルク比（比較例５のトルクを１としたときの相対トルク比）を算出し、下記の合否判定に基づいて評価した。
＜合否判定＞
相対トルク比が０．４（−１０℃）以下      ○（合格）
相対トルク比が０．４（−１０℃）を超える  ×（不合格）
【００２２】
［起動効率試験］
作製した潤滑剤組成物について、下記の試験条件で試験を行い、起動効率（入力軸のトルクに対して１００％出力した場合の出力トルク（理論値）を１００としたときの実際の出力トルク）を測定した。
＜試験条件＞
試験温度：２５℃
負荷トルク［ラジアル方向（軸方向に垂直な方向）の荷重］：４２ｋｇｆ−ｍ
起動効率は、相対効率比（比較例６の効率を１としたときの相対効率比）を算出し、下記の基準に基づいて評価した。
＜合否判定＞
相対効率が１．４以上              ◎（合格）
相対効率が１．２以上１．４未満    〇（合格）
相対効率が１．２未満              ×（不合格）
【００２３】
＜総合判定＞
高温耐久性、低温性、起動効率のいずれも合格  ○（合格）
いずれか１つでも不合格                      ×（不合格）
【００２４】
作製した潤滑剤組成物についての結果を表１に示す。
【００２５】
【表１】
2017115104.tif 000002
【００２６】
表１における（ｂ）炭化水素系ワックス、（ｃ）カルシウム塩、（ｄ）増ちょう剤、（ｅ）極圧剤の詳細は、以下のとおりである。
（炭化水素系ワックス）
ポリエチレンワックス：溶融粘度約２５０００ｍＰａ・ｓ（１４０℃）、密度０.９６ｇ／ｃｍ3、滴点１３５℃
ポリプロピレンワックス溶融粘度約９０００ｍＰａ・ｓ（１７０℃）、密度０.９０ｇ／ｃｍ3、滴点１１２℃
（カルシウム塩）
ＣａスルホネートＡ（過塩基性）：アルキル芳香族スルホン酸のカルシウム塩（Ｔｈｅ Ｌｕｂｒｉｚｏｌ Ｃｏｒｐｏｒａｔｉｏｎ製、商品名：ＬＵＢＲＩＺＯＬ ５２８３Ｃ、塩基価：３７５ｍｇＫＯＨ/ｇ）
ＣａスルホネートＢ（中性）：アルキル芳香族スルホン酸のカルシウム塩（ＫＩＮＧ ＩＮＤＵＳＴＲＩＥＳ製、商品名：ＮＡ−ＳＵＬ７２９、塩基価１ｍｇＫＯＨ／ｇ以下）
（増ちょう剤）
Ｌｉ石けん系増ちょう剤：１２−ヒドロキシステアリン酸と水酸化リチウム水溶液を基油中で反応させ、その後２２５℃まで加熱後１００℃以下まで冷却して得られたＬｉヒドロキシステアレート。
（極圧剤）
ＭｏＤＴＣ：ジアルキルジチオカルバミン酸モリブデン、ＡＤＥＫＡ製、商品名アデカサクラルーブ５１５
ＺｎＤＴＰ：ジアルキルジチオリン酸亜鉛、インフィニアムジャパン株式会社製、商品名ＩＮＦＩＮＥＵＭ Ｃ９４２１
【００２７】
表１に示すように、本発明の実施例１〜４の潤滑剤組成物は、基油に合成炭化水素油を含まない比較例５に比べて、低温性が良好であることが分かる。また、本発明の実施例１〜４の潤滑剤組成物は、添加剤に炭化水素系ワックスを含まない比較例６、Ｃａスルホネートを含まない比較例７に比べて、高温耐久性及び起動効率が良好であることが分かる。
ＣａスルホネートＢを更に含む実施例３及びＣａスルホネートＢとジアルキルジリオリン酸亜鉛を更に含む実施例４は、高温耐久性及び起動効率が更に良好であることが分かる。